(57)【要約】【課題】  簡単な構成により点灯領域と消灯領域の境界を明確にすることができ、かつ仕切板配置による暗部発生を無くして輝度の均一性を確保することができるバックライト装置および良好な動画を描画することができる液晶表示装置を提供することを目的とする。【解決手段】  本発明のバックライト装置は、互いに所定の間隔を有して配置され、異なるタイミングで発光する複数の発光領域８を持つ発光部２０を、少なくとも一部が透光材料で形成された仕切板６により、透光手段に接触して複数の発光領域に分割しており、その仕切板に張り付けられた反射シール７が、それぞれの発光領域における発光源からの光を反射して透光手段の方向に出射するよう構成されており、そのバックライト装置を用いて液晶表示装置が構成されている。【選択図】図１
2007066634.tif 000002
【特許請求の範囲】
【請求項１】
互いに所定の間隔を有して配置され、異なるタイミングで発光する複数の発光領域を持つ発光手段、
前記発光手段からの光が入射される透光手段、
少なくとも一部が透光材料で形成され、その頂部が前記透光手段に接触して前記発光手段を複数の発光領域に分割する仕切板、および
前記仕切板に張り付けられ、それぞれの発光領域における発光源からの光を反射する反射手段、
を具備するバックライト装置。
【請求項２】
前記仕切板が平板状の板材により構成され、前記発光手段を分割して前記発光領域を規定する前記仕切板の一方の面に両面が反射面である反射手段が張り付けられた請求項１に記載のバックライト装置。
【請求項３】
前記仕切板が少なくとも２枚の合わせ板により構成され、前記反射手段が前記仕切板の合わせ面に挟着された請求項１に記載のバックライト装置。
【請求項４】
前記仕切板における発光領域を規定する面と直交する断面が二等辺三角形であり、当該二等辺三角形の頂点が前記透光手段に接触し、当該頂点を間とする２辺を構成する面の一部に前記反射手段が張り付けられた請求項１に記載のバックライト装置。
【請求項５】
前記仕切板において、発光領域の前記発光源に対向する面の少なくとも一部が前記発光源からの光を反射して前記透光手段の方向へ出射する反射面で構成された請求項１に記載のバックライト装置。
【請求項６】
前記反射手段は透光手段側端部から所定距離の隙間を有して前記仕切板に張り付けられた請求項１乃至５のいずれか一項に記載のバックライト装置。
【請求項７】
前記仕切板が発光領域を規定する面と直交する断面が三角形の透光材料で形成され、前記仕切板の頂部が前記透光手段に接触して前記発光源を有する発光領域を規定し、前記仕切板の頂部を形成する両面に張り付けられた前記反射手段の透光手段側端部が前記透光手段に対して所定距離の隙間を有して形成され、前記仕切板の底面側端部近傍が露出して、前記仕切板の内部に形成された反射部により前記発光源からの光を前記仕切板の頂部から前記透光手段に出射するよう構成した請求項１に記載のバックライト装置。
【請求項８】
互いに所定の間隔を有して配置され、異なるタイミングで発光する複数の発光領域を持つ発光手段、
前記発光手段からの光が入射される透光手段、および
前記発光領域を規定する面と直交する断面が二等辺三角形の形状を有し、当該二等辺三角形の頂部が透光材料で形成されて前記透光手段に接触して前記発光手段を複数の前記発光領域に分割する仕切板、を具備し、
前記仕切板は、前記発光領域に設けられた発光源からの光を前記透光手段へ反射する反射面を有するよう構成されたバックライト装置。
【請求項９】
仕切板が、透光材料で形成された頂部と前記頂部に続く台部で構成され、前記台部における前記頂部との境界面が反射面で構成された請求項８に記載のバックライト装置。
【請求項１０】
請求項１乃至９のいずれか一項に記載のバックライト装置と、前記バックライト装置の透光手段から出射された光が照射される液晶パネルと、を具備する液晶表示装置。
【発明の詳細な説明】
【技術分野】
【０００１】
本発明は、液晶表示装置等に用いられるバックライト装置、特に動画表示に好適な液晶表示装置に用いられるバックライト装置およびそのバックライト装置を用いた液晶表示装置に関する。
【背景技術】
【０００２】
近年、薄型で消費電力の少ない画像表示装置として液晶テレビジョン受像機や液晶ディスプレイ装置等の液晶表示装置が広く用いられてきている。このような液晶表示装置においては、液晶の特性により、応答性やコントラスト比が十分でないため、特に動画の場合には残像が生じ、画像がぼやけて表示されるという問題を有している。このような問題を解決する手段としては、バックライト装置における複数の光源を液晶表示装置の走査線に対応して順次点灯および消灯させるブリンク制御が提案されている（例えば、特許文献１参照。）。
このようなブリンク制御が行われるバックライト装置においては、液晶パネルにおける垂直走査方向（走査線がスキャンする方向）に設けられた発光領域が分割されている。分割されたそれぞれの発光領域には発光源である発光素子が設けられており、これらの発光素子は液晶パネルに入力される垂直同期信号に同期して順次点灯および消灯するよう制御されている。このように、垂直同期信号に同期して各発光領域を垂直走査方向に沿って順次点灯させることにより、各画素においては液晶が応答している状態で所定期間だけバックライト表示されるため、良好な動画表示が可能となる。
【０００３】
【特許文献１】特開２００３−０２９２３６号公報
【特許文献２】特開２００１−３３７６１７号公報
【特許文献３】特開２００２−０７２１６７号公報
【特許文献４】特開２００２−２６８５７０号公報
【発明の開示】
【発明が解決しようとする課題】
【０００４】
前述のように従来の液晶表示装置のバックライト装置においては、液晶パネルでの表示画像のぼやけた状態や動画の残像表示を改善するため、複数の発光領域を順次点灯および消灯させている。その点滅動作における効果をさらに高めるためには、点灯させている領域と消灯させている領域の境界を明確にする必要がある。従来の液晶表示装置のバックライト装置においては、複数の発光領域を形成するため、厚みを有する板材で構成された仕切板等により発光部分を分割していた。これらの仕切板は、発光素子からの光を拡散するための拡散板等の透光板に密着して配設されていた。このように仕切板により、発光部分を複数の発光領域に分割してそれぞれの発光領域に光が漏れないよう構成されていた（例えば、特許文献２参照。）。
【０００５】
しかし、上記のように、拡散板等の透光板の裏面に仕切板の端部が密着するよう配置されたバックライト装置において、仕切板の板厚が厚い場合には、その仕切板の厚みの部分に対応する発光領域が線状に暗くなり、面発光装置であるバックライト装置全体の輝度の均一性が低下するという問題があった。そのため、仕切板の板厚は限りなく薄くすることが好ましいが、薄くしすぎると強度的な問題や反りなどの問題が発生し、製造上非常に困難であった（例えば、特許文献３参照。）。
【０００６】
仕切板の厚みの部分に対応する発光領域が線状に暗くなる問題を解決する手段として、拡散板の裏面と仕切板の頂部との間に隙間を設ける構造が提案されている（例えば、特許文献１および特許文献４参照。）。このように構成した場合、発光領域の境界においては隣接する領域からの光により明るくなり仕切板配置による影響を無くすことが可能であるが、隣接する領域から漏れてくる光により点灯領域と消灯領域の境界がぼやけるという別の問題が発生する。さらに、このような仕切板は、拡散板との間に所定の隙間を有する空間を形成しなければならないため、このような仕切板を用いたバックライト装置の製造は、容易ではなく製造コストが高くなるという問題があった。
【０００７】
本発明は、従来のバックライト装置における上記の各種問題点に鑑みなされたものであり、簡単な構成により点灯領域と消灯領域の境界を明確にすることができ、かつ仕切板配置による悪影響を無くして輝度の向上と均一性を確保することができるバックライト装置および良好な動画を描画することができる液晶表示装置を提供することを目的とする。
【課題を解決するための手段】
【０００８】
上記の目的を達成するため、本発明の第１の観点のバックライト装置は、
互いに所定の間隔を有して配置され、異なるタイミングで発光する複数の発光領域を持つ発光手段、
前記発光手段からの光が入射される透光手段、
少なくとも一部が透光材料で形成され、その頂部が前記透光手段に接触して前記発光手段を複数の発光領域に分割する仕切板、および
前記仕切板に張り付けられ、それぞれの発光領域における発光源からの光を反射する反射手段、を具備する。このように構成された本発明のバックライト装置は、仕切板による暗部の発生を防止することができ、均一な面状発光が可能な優れた装置となる。なお、後述する好適な実施の形態においては、発光源が冷陰極蛍光管（ＣＣＦＬ）や発光ダイオード（ＬＥＤ）であり、発光手段が発光部（２０）であり、透光手段が偏光シート（３）、プリズムシート（４）および拡散板（５）で構成されており、反射手段が反射シール（７，７Ａ，７Ｂ）である。後述の実施の形態においては、上記の構成物を用いて具体的に説明するが、本発明はこれらの構成に限定されるものではなく、これらの構成のものと同等の目的を持って同様の機能を有するものを含んで構成される。
【０００９】
本発明の第２の観点のバックライト装置は、上記の第１の観点における前記仕切板が平板状の板材により構成され、前記発光手段を分割して前記発光領域を規定する前記仕切板の一方の面に両面が反射面である反射手段を張り付けて構成しても良い。
【００１０】
本発明の第３の観点のバックライト装置は、上記の第１の観点における前記仕切板が少なくとも２枚の合わせ板により構成され、前記反射手段を前記仕切板の合わせ面に挟着するよう構成しても良い。
【００１１】
本発明の第４の観点のバックライト装置は、上記の第１の観点の前記仕切板における発光領域を規定する面と直交する断面が二等辺三角形であり、当該二等辺三角形の頂点が前記透光手段に接触し、当該頂点を間とする２辺を構成する面の一部に反射手段を張り付けて構成しても良い。
【００１２】
本発明の第５の観点のバックライト装置は、上記の第１の観点における前記仕切板において、発光領域の前記発光源に対向する面が前記発光源からの光を反射して前記透光手段の方向へ出射する反射面で構成しても良い。
【００１３】
本発明の第６の観点のバックライト装置は、上記の第１の観点乃至第５の観点における前記反射手段が透光手段側端部から所定距離の隙間を有して前記仕切板に張り付けられた構成としても良い。
【００１４】
本発明の第７の観点のバックライト装置は、上記の第１の観点における前記仕切板が発光領域を規定する面と直交する断面が二等辺三角形の透光材料で形成され、前記仕切板の頂部が前記透光手段に接触して前記発光源を有する発光領域を規定し、前記仕切板の頂部を形成する両面に張り付けられた前記反射手段の透光手段側端部が前記透光手段に対して所定距離の隙間を有して形成され、前記仕切板の底面側端部近傍が露出して、前記仕切板の内部に形成された反射部により前記発光源からの光を前記仕切板の頂部から前記透光手段に出射するよう構成しても良い。
【００１５】
本発明の第８の観点のバックライト装置は、互いに所定の間隔を有して配置され、異なるタイミングで発光する複数の発光領域を持つ発光手段、
前記発光手段からの光が入射される透光手段、および
前記発光領域を規定する面と直交する断面が二等辺三角形の形状を有し、当該二等辺三角形の頂部が透光材料で形成されて前記透光手段に接触して前記発光手段を複数の前記発光領域に分割する仕切板、を具備し、
前記仕切板は、前記発光領域に設けられた発光源からの光を前記透光手段へ反射する反射面を有するよう構成されている。このように構成された本発明のバックライト装置は、簡単な構成で仕切板による暗部の発生を防止することができ、均一な面状発光が可能となる。
【００１６】
本発明の第９の観点のバックライト装置は、上記の第８の観点における前記仕切板が、透光材料で形成された頂部と前記頂部に続く台部で構成され、前記台部における前記頂部との境界面を反射面で構成しても良い。
【００１７】
本発明の第１０の観点の液晶表示装置は、上記の第１の観点乃至第９の観点におけるバックライト装置と、前記バックライト装置の透光手段から出射された光が照射される液晶パネルと、を具備する。このように構成された液晶表示装置は、良好な動画を描画することができる。
【発明の効果】
【００１８】
本発明のバックライト装置においては、点灯領域と消灯領域の境界を明確にすることができ、かつ仕切板配置により暗部が生じるという問題を無くし、均一な輝度を有する面状発光装置を提供することができる。
また、本発明の液晶表示装置は、上記のような優れた効果を有する本発明のバックライト装置を組み込むことにより、本発明のバックライト装置の有する利点が与えられるとともに、違和感のない良好な動画を確実に描画することが可能な液晶表示装置を提供することが可能となる。
【発明を実施するための最良の形態】
【００１９】
以下、本発明に係る好適な実施の形態のバックライト装置およびこのバックライト装置を用いた液晶表示装置を添付の図面を参照して説明する。
なお、以下の実施の形態の説明において、特定の方向を示す用語（例えば「上」、「下」など）およびそれらの用語を含む別の用語（例えば「上方」、「下方」など）を適宜使用するが、それらの使用は図面を参照した発明の理解を容易にするためであって、それらの用語によって発明の技術的範囲が限定されものではない。したがって、以下に説明する本発明の実施の形態を上下反転して、または任意の方向（例えば、時計回り方向又は反時計回り方向）に所定角度（例えば、９０度）回転した形態も当然本発明の技術的範囲に属するものである。
【００２０】
《実施の形態１》
図１は本発明に係る実施の形態１のバックライト装置を有する液晶表示装置の構成を示す断面図である。図１においては、実施の形態１の液晶表示装置の説明を容易なものとするため、この液晶表示装置を模式的に示した図であり、各構成の大きさや間隔は実際の装置と異なっている。
【００２１】
図１に示すように、実施の形態１の液晶表示装置１は液晶パネル２とこの液晶パネル２の背後（図１においては下側）に配置されたバックライト装置１０とを備えており、直下型の面状発光による液晶表示装置である。なお、図１においては省略しているが、バックライト装置１０の背面には発光制御や色調整を行う電気回路が設けられており、バックライト装置１０として一体構造に形成されている。実施の形態１における液晶パネル２としては、従来から知られているすべての液晶パネルが利用可能であり、液晶の種類やパネル構造によって本発明の液晶表示装置が限定されるものではない。
【００２２】
バックライト装置１０は、その前面（液晶パネル２と対向する面）に光の拡散、集光、偏光等の機能を有する複数の透光板１１が積層されて配置されている。実施の形態１において、複数の透光板１１の構成は、液晶パネル２に対向する面から順番に、軟質材料でシート状に形成され入射した光のうち特定の方向に振動する光成分だけを透過させる偏光シート３、入射した光を集光させるプリズムシート４、入射した光を拡散させる拡散板５である。
【００２３】
上記のように構成された複数の透光板１１の背後には発光源である複数の冷陰極蛍光管（ＣＣＦＬ）９を有する発光部２０が設けられている。冷陰極蛍光管９は、図１の紙面に対して垂直な方向に延設された直管型であり、この延設方向に直交する方向（図１における左右方向）に沿って所定間隔、例えば２００ｍｍ〜４００ｍｍを有して並行に配置されている。冷陰極蛍光管９は、液晶パネル２を背面から照射する光源であり、長手方向が水平走査線方向に対して平行に配置されている。そして、冷陰極蛍光管９のそれぞれは、垂直走査線方向で同じ間隔を有して並行に配置されている。
【００２４】
図１に示すように、発光部２０には冷陰極蛍光管９の背面に底面側反射板１２が設けられ、この底面側反射板１２は冷陰極蛍光管９を挟んで拡散板５と対向する位置に配置されている。発光部２０において、水平走査線方向に対して平行に配置されている１つの冷陰極蛍光管９に沿って、その両側に透光材料で形成された仕切板６が並設されている。この仕切板６により発光部２０における各発光領域が規定されている。
【００２５】
発光部２０において、発光領域を規定する仕切板６の一方の側面には、反射手段である反射シート７が張り付けられている。反射シート７は両面が高反射率（９０％以上の反射率）を有する反射面となっており、実施の形態１においては、反射シート７の一方の面に接着剤を塗布して仕切板６に貼り付けられている。実施の形態１において用いた反射シート７は、ポリエチレンテレフタレート樹脂（ＰＥＴ）により形成されたシート状物であり、反射率が９６％、厚みが０．２ｍｍであった。
【００２６】
なお、実施の形態１においては反射手段として上記の両面反射の反射シート７を用いたが、本発明の反射手段はこのような構成に限定されるものではなく、高い反射率を有する薄膜体であれば用いることができる。例えば、透明なポリエチレンテレフタレート樹脂（ＰＥＴ）の膜体にアルミニウム（Ａｌ）を蒸着した反射膜、微細な泡で全反射させる発砲ポリエチレンテレフタレート樹脂の膜体、白色膜体などの高反射率を有する拡散反射膜体を用いても良い。
また、実施の形態１における仕切板６は、耐熱性のあるアクリル系樹脂で形成したが、仕切板６の材料としては、耐熱性のあるアクリル系樹脂やポリカーボネイト等の優れた光透過性を有する透光材料が用いられる。
【００２７】
上記のように構成された実施の形態１のバックライト装置１０を有する液晶表示装置において、発光部２０は仕切板６により冷陰極蛍光管９を有する複数の発光領域に分割されている。分割されたそれぞれの発光領域には制御・駆動回路が接続されており、独立して点灯・消灯動作が行われる。
【００２８】
図２は実施の形態１の液晶表示装置における制御・駆動回路の一例を示すブロック図である。図２に示すように、実施の形態１の液晶表示装置１には映像信号が入力される液晶パネル制御回路１３が設けられており、この液晶パネル制御回路１３から液晶パネル２の駆動信号が供給される。この駆動信号により液晶パネル２における走査線と信号線が駆動され、液晶パネル２において映像が表示される。バックライト装置１０において、冷陰極蛍光管９（ＣＣＦＬ：Cold-cathode fluorescent lamp）を有する発光部２０にはＣＣＦＬ制御回路１４が設けられており、液晶パネル制御回路１３から垂直同期信号が入力されるよう構成されている。また、前述のように仕切板６により複数に分割された各発光領域８にはＣＣＦＬ駆動回路１５がそれぞれ設けられており、各発光領域８にある冷陰極蛍光管９を点滅駆動制御する。ＣＣＦＬ駆動回路１５はＣＣＦＬ制御回路１４から出力される駆動信号が入力され、所定の高周波高電圧の信号を対応する冷陰極蛍光管９に出力する。それぞれの冷陰極蛍光管９は、入力された所定の高周波高電圧の信号に対応して順次発光する。したがって、液晶表示装置１に入力された映像信号の垂直同期信号に同期して各発光領域８の冷陰極蛍光管９は順次点灯と消滅を繰り返す。
【００２９】
上記のように構成された実施の形態１のバックライト装置１０において、各発光領域８の冷陰極蛍光管９が順次点灯と消滅を繰り返すブリンク制御が行われた場合、各発光領域８における冷陰極蛍光管９からの光は、直接的に拡散板５に入射されるとともに、底面反射板１２や仕切板６に張り付けられた反射シート７において反射して間接的に拡散板５に入射される。
図３は、実施の形態１のバックライト装置１０における拡散板５と仕切板６との接合部分近傍を示す断面図である。図３に示すように、透光材料で形成された仕切板６の一方の面には両面が反射面である反射シート７が張り付けられており、仕切板６の上端面（拡散板５と対向する端面）は平坦面に形成され、拡散板５と接している。
隣接領域がいずれも点灯の場合において、一方の発光領域８（図３において左側の発光領域８）の冷陰極蛍光管９からの光は仕切板６に入射して仕切板６内を通り反射シート７により反射されて、再び仕切板６内を通り、その一部は仕切板６の上端面から拡散板５へ入射される。例えば、冷陰極蛍光管９からの光は、図３において矢印Ｌ１およびＬ２により示す光路を通り、反射シール７により反射されて仕切板６内を通り拡散板５に入射される。すなわち、一方の冷陰極蛍光管９から仕切板６に入射された光の一部は、仕切板６により導光されてその頂部である上端面と拡散板５との接触面から拡散板５に入射される。
【００３０】
一方、他方の発光領域８（図３において右側に発光領域８）の冷陰極蛍光管９からの光は、仕切板６の対向する面に張り付けられた反射シート７に直接入射された光（例えば、図３で破線の矢印Ｌ３にて示す光）のほとんどが、拡散板５の方向に実質的に全反射して拡散板５に入射される。
したがって、各発光領域８を規定する両側の仕切板６において、一方の仕切板６では冷陰極蛍光管９からの光を導光して一方の境界部分である隣接領域の拡散板５を照射し、他方の仕切板６ではその仕切板６と対向する隣の冷陰極蛍光管９からの光を導光して他方の境界部分である隣接領域の拡散板５を照射する。この結果、上記のように構成された実施の形態１のバックライト装置１０においては、各発光領域８を規定する仕切板６により、拡散板５の全体に対して光が一様に入射され、その入射された光が拡散されて各透光板１１を通過し液晶パネル２を照射するよう構成されている。
【００３１】
なお、実施の形態１においては、仕切板６の一方の面に両面反射の反射シート７を接着剤により張り付けた構成で説明したが、仕切板６を例えば２枚の透光材料で構成された板材を張り合わせた張り合わせ構造とし、その張り合わせ面に両面反射手段、例えば反射シート７を挟着するよう構成しても良い。図４は張り合わせ構造を有する仕切板６の内部に反射シート７を挟着した構成を示す断面図である。このように構成することにより、接着剤が不要となり、反射シート７の両面が同様の反射率を有する構成となる。したがって、図４に示す構成においては、接着剤使用による反射率の低下を防止することができるとともに、反射シート７が両側から仕切板６により保護されているため、反射シート７の経年変化を防止できる構造となる。
【００３２】
以上のように、実施の形態１のバックライト装置においては、透光材料で構成された仕切板６に薄膜の反射手段を設けることにより点灯領域と消灯領域の境界を明確にすることができ、かつ仕切板を設けたことによる暗部の発生を防止し、面状発光における輝度の均一性を確保することができる。また、実施の形態１のバックライト装置を液晶表示装置に組み込むことにより良好な動画表示が可能な液晶表示装置を提供することができる。
【００３３】
《実施の形態２》
図５は本発明に係る実施の形態２のバックライト装置を有する液晶表示装置の構成を示す断面図である。図５においては、前述の実施の形態１の液晶表示装置と同様に各部の説明を容易なものとするため、実施の形態２の液晶表示装置を模式的に示した図であり、各構成の大きさや間隔は実際の装置と異なっている。実施の形態２の液晶表示装置は、実施の形態１の液晶表示装置における発光源である１本の冷陰極蛍光管９の代わりに複数のＬＥＤ(Light-emitting diode)発光部１６を並設したものである。
【００３４】
実施の形態２の液晶表示装置におけるバックライト装置１０は、実施の形態１と同様にバックライト装置１０の前面側（液晶パネル２と対向する面側）に透光板１１である偏光シート３、プリズムシート４、および拡散板５が液晶パネル２に対向する面から順番に積層されて設けられている。
上記のように構成された透光板１１の背後には発光源（面状光源）である複数のＬＥＤ発光部１６を有する発光部２０が設けられている。発光部２０は、所定間隔を有して格子状に配設された複数のＬＥＤ発光部１６と、各ＬＥＤ発光部１６の間に設けられ液晶パネル２に対向する底面側に、反射面を有する底面反射部１２とを含んで構成されている。各ＬＥＤ発光部１６は、液晶パネル２に対向する面が略正方形状を有し、厚みを有する板状の外観を持つ。各ＬＥＤ発光部１６の中心には、発光素子であるＬＥＤ(Light-emitting diode)１７が設けられており、ＬＥＤ１７は赤色、緑色、青色の光を出射する３つの発光素子（赤色ダイオード、緑色ダイオード、青色ダイオード）を備えている。
各ＬＥＤ発光部１６において、ＬＥＤ１７の周りには、概略、下方に湾曲した皿形状の高反射率を有する光案内手段であるＬＥＤ反射面２１が形成されている。実施の形態２における各ＬＥＤ発光部１６は、透光板１１に対向する出射面を備えた透光性の材料からなる基材と、この基材の内部に埋め込まれた発光素子であるＬＥＤ１７と、ＬＥＤ１７で発生した光を出射面の全域又はほぼ全域から透光板１１に向かって垂直又はほぼ垂直に案内する光案内手段であるＬＥＤ反射面２１を有して構成されている。
【００３５】
図６は実施の形態２の液晶表示装置１における液晶パネル２および発光部２０の構成を示すブロック図である。図６に示すように、発光部２０は略正方形状の複数のＬＥＤ発光部１６が所定間隔を有して格子状に配設されている。映像信号は液晶パネル制御回路１３に入力され、液晶パネル制御回路１３から液晶パネル２の駆動信号が供給される。この駆動信号により液晶パネル２における走査線と信号線が駆動され、液晶パネル２において映像が表示される。バックライト装置１０において、ＬＥＤ発光部１６を有する発光部２０にはＬＥＤ制御回路１８が設けられており、液晶パネル制御回路１３から垂直同期信号が入力されるよう構成されている。また、前述のように仕切板６により複数に分割された各発光領域８にはＬＥＤ駆動回路１９がそれぞれ設けられており、各発光領域８に設けられたＬＥＤ発光部１６を点滅駆動制御する。ＬＥＤ駆動回路１９はＬＥＤ制御回路１８から出力される駆動信号が入力され、所定の信号を対応するＬＥＤ発光部１６に出力する。それぞれの発光領域８における全てのＬＥＤ発光部１６は、入力された所定の信号に対応して発光する。したがって、液晶表示装置１に入力された映像信号の垂直同期信号に同期して各発光領域８におけるＬＥＤ発光部１６は同時に点灯と消滅を繰り返す。
【００３６】
上記のように構成された実施の形態２のバックライト装置１０において、各発光領域８におけるＬＥＤ発光部１６が同時に点灯と消滅を繰り返すブリンク制御が行われた場合、各発光領域８におけるＬＥＤ発光部１６からの光は、直接的に拡散板５に入射されるとともに、底面反射板１２や仕切板６に張り付けられた反射シート７において反射して間接的に拡散板５に入射される。
ＬＥＤ発光部１６からの光が反射シート７により反射される光において、透光材料で形成された仕切板６に入射された光は、仕切板６内を通過して反射シート７において反射し、その一部は拡散板５の方へ導光される。すなわち、仕切板６に入射された光の一部は、仕切板６における頂部と拡散板５との接触面から拡散板５に入射される。
【００３７】
一方、仕切板６におけるＬＥＤ発光部１６に対向する面に張り付けられた反射シート７に直接入射された光のほとんどは、実質的に全反射して拡散板５に入射される。
したがって、各発光領域８を規定する両側の仕切板６において、一方の仕切板６ではＬＥＤ発光部１６からの光を導光して一方の境界部分の拡散板５を照射し、他方の仕切板６ではその仕切板６と対向する隣のＬＥＤ発光部１６からの光を導光して他方の境界部分の拡散板５を照射する。この結果、上記のように構成された実施の形態２のバックライト装置１０においては、各発光領域８を規定する仕切板６により、拡散板５の全体に対して光が一様に入射され、その入射された光が拡散されて各透光板１１を通過し液晶パネル２を照射するよう構成されている。
【００３８】
上記のように構成された実施の形態２のバックライト装置においては、透光材料で構成された仕切板６に薄膜の反射手段を設けることにより点灯領域と消灯領域の境界を明確にすることができ、かつ仕切板６を設けたことによる暗部の発生を防止し、面状発光における輝度の均一性を確保することができる。また、実施の形態２のバックライト装置を液晶表示装置に組み込むことにより良好な動画表示が可能な液晶表示装置を提供することができる。
【００３９】
実施の形態２の液晶表示装置１におけるバックライト装置１０の変形例を図７を用いて説明する。図７は実施の形態２におけるバックライト装置１０の変形例を示す断面図である。図７に示す変形例においては、ＬＥＤ発光部１６の側面にあるＬＥＤ反射面２１の端部の位置に底面反射板１２の反射面が配置されている。また、底面反射板１２には、発光領域８の境界と対応する位置に仕切板６が挿入される貫通孔が形成されている。仕切板６には弾性体である２つの鍔部６４，６４が形成されており、仕切板６が底面反射板１２の貫通孔に挿入されたとき、２つの鍔部６４，６４により底面反射板１２が挟着されるよう構成されている。したがって、仕切板６の鍔部６４，６４により底面反射板１２を固定し、底面反射板１２に固着されたＬＥＤ発光部１６を筐体２４内に配置することにより、仕切板６と底面反射板１２とＬＥＤ発光部１６が筐体２４に対して所定の位置に確実に配置される。また、図７に示す構成においては、底面反射板１２がＬＥＤ発光部１６の側面にあるＬＥＤ反射面２１と同じ位置に設けられているため、ＬＥＤ発光部１６から光を効率高く反射して、輝度の向上を図ることができる。
【００４０】
次に、実施の形態２の液晶表示装置１におけるバックライト装置１０の別の変形例を図８を用いて説明する。図８は実施の形態２におけるバックライト装置１０の別の変形例を示す断面図である。図８に示す変形例においては、仕切板６の下側に仕切板基部２３が設けられている。仕切板基部２３は仕切板６の長手方向（水平走査線方向）に直交する断面が二等辺三角形の形状を有している。仕切板基部２３の両側面は高反射率を有する反射面に形成されている。この仕切板基部２３は仕切板６に接合して一体的に形成されており、仕切板基部２３の頂点の位置は、すなわち仕切板６との接合点は、ＬＥＤ発光部１６における発光面１６Ａ（図８における上面）より拡散板５側にあり、ＬＥＤ発光部１６の側面から出射された光が仕切板基部２３の側面に直接入射されるよう構成されている。このように構成されたバックライト装置においては、ＬＥＤ発光部１６の側面から出射された光が仕切板基部２３の側面で反射され、拡散板５の方向に出射される。したがって、図８に示したバックライト装置１０においては、面状光源としての輝度のさらなる向上を図ることが可能となる。なお、仕切板６の下側に形成する仕切板基部２３の形状は、二等辺三角形以外にも、二等辺部分が凹面に形成された形状や、台形などＬＥＤ発光部１６の側面から出射された光を拡散板５の方向へ反射させる形状であれば適用可能である。また、透光材料で形成された仕切板６と仕切板基部２３とを一体成形し、仕切板基部２３の両側面に高反射率を有する反射面を持つ反射シートを張り付ける構成でも良い。
【００４１】
以上のように構成された実施の形態２の液晶表示装置１においては、図６のブロック図で示した構成により、駆動制御されているため、バックライト装置１０において各発光領域８におけるＬＥＤ発光部１６が同時に点灯と消滅を繰り返すブリンク制御が行われた場合、各発光領域８からの光は、各発光領域８を規定する仕切板６により、それぞれの対応する拡散板５のみを照射し、隣接する発光領域８からの光の回り込みが防止されている。また、実施の形態２の液晶表示装置１においては仕切板６が透光材料で形成され、仕切板６から拡散板５に対してその接触面において光が通るよう構成されている。このため、拡散板５においては仕切板６の影により暗部となることが無く、バックライト装置としての輝度が均一な面状発光装置となる。
以上のように、実施の形態２のバックライト装置においては、透光材料で構成された仕切板に反射手段を設けることにより点灯領域と消灯領域の境界を明確にすることができ、かつ仕切板を設けたことにより影響を無くし面状発光装置における輝度の均一性を確保することができる。また、実施の形態２のバックライト装置を液晶表示装置に組み込むことにより輝度の高い良好な動画表示が可能な液晶表示装置を提供することができる。
【００４２】
《実施の形態３》
以下、本発明に係る実施の形態３の液晶表示装置に用いられるバックライト装置について説明する。実施の形態３のバックライト装置は、前述の実施の形態１（冷陰極蛍光管（ＣＣＦＬ）９の使用）または実施の形態２（ＬＥＤ発光部２０の使用）において説明したバックライト装置の構成において仕切板および反射シートの形状および構成を変形した例である。実施の形態３のバックライト装置の構成は、いずれの実施の形態１および２においてもそれぞれ同様の効果を奏する。したがって、実施の形態３の説明においては、実施の形態１および２における要素と同じ機能、構成を有するものには同じ符号を付して、その説明はそれぞれの実施の形態における説明を適用する。
【００４３】
図９は実施の形態３のバックライト装置を示しており、実施の形態３のバックライト装置１０における拡散板５と仕切板６との接触部分の近傍を示す断面図である。図９に示すように、仕切板６における一方の面に張り付けられている反射シート７Ａは、拡散板５の背面（図９における下面）から距離Ａの間隔を有して配置されている。したがって、拡散板５と仕切板６との接触面から距離Ａの部分は透光材料で形成された仕切板６が露出した状態である。この反射シート７Ａは前述の実施の形態１において説明した反射シート７と同じ高反射率の反射面を両面に有する構成である。
【００４４】
このように、反射シート７Ａが拡散板５の背面から一定の距離Ａを有して配置されているため、隣接する発光領域８における境界部分において反射シート７Ａによる影の影響は無くなり、面状発光時における境界面における暗部の発生が確実に防止される。
発明者は実験により、反射シート７Ａの拡散板側端部から拡散板５の背面まで距離Ａは、０．０ｍｍ以上３．０ｍｍ以下が好ましい距離であり、０．３ｍｍ以上１．５ｍｍ以下が特に好ましい距離であることを確かめた。距離Ａが３．０ｍｍを超えると、面発光として境界面における光量低下は防止できるが、隣接する発光領域が点灯領域と消灯領域の場合には、その境界が不明確となりぼやけるという問題が生じる。
【００４５】
図１０は仕切板を設けない場合や異なる構成の仕切板を用いた場合のバックライト装置に対して輝度実験を行った結果を示すグラフである。この輝度実験において、２２ｍｍ角のＬＥＤ発光部１６を用い、仕切板６同士の間隔を３２ｍｍとし、そして反射シート７Ａの拡散板側端部から拡散板５の背面まで距離Ａを０．７ｍｍとした。また、ＬＥＤ発光部１６を載置した底面反射板１２の反射面から拡散板５の背面（図１０における下面）までの距離を２５ｍｍとし、この拡散板５に入射される光の輝度値を測定した。
【００４６】
図１０の（ａ）は隣接する発光領域８が点灯領域と消灯領域の場合の相対輝度値を示している。図１０の（ｂ）は隣接する発光領域８の両方が点灯領域である場合の相対輝度値を示している。ここで相対輝度値とは最高輝度値を１．０として、該当位置における輝度値の最高輝度値に対する比である。図１０において、破線で示すグラフは仕切板が設けられていない場合の相対輝度値であり、一点鎖線で示すグラフは板厚が２ｍｍの透光部材でない従来の仕切板を用いてその端部を拡散板に密着させた構成の場合の相対輝度値であり、実線で示すグラフは図９に示した実施の形態２のバックライト装置の構成を用いた場合の相対輝度値である。
【００４７】
図１０の（ａ）に示すように、実線で示す実施の形態２の構成では、点灯領域から消灯領域への漏れ光を防止する性能に関して、一点鎖線で示す従来の仕切板を拡散板に密着させた構成の場合と同等であり、破線で示した仕切板が設けられていない場合に比べ、発光領域８の境界部分において隣接領域への漏れ光を約７５％低減させることができている。
【００４８】
一方、図１０の（ｂ）に示すように、実線で示す実施の形態２の構成では、一点鎖線で示した従来の仕切板を拡散板に密着させた場合に比べ、発光領域８の境界部分において約３５％の相対輝度値の上昇が見られ、破線で示す仕切板が設けられていない場合と同等の輝度が確保されている。
図１０に示す実験結果から明らかなように、実施の形態２のバックライト装置１０においては、点灯領域と消灯領域の境界が明確になるとともに、かつ、面状光源としての各発光領域８における境界での仕切板による輝度の低下を招くことが無くなり、均一性の高い面状発光装置となる。
【００４９】
図９に示した構成においては、仕切板６を通過した光が拡散板５と仕切板６との接触面である境界面において全反射する光（図９において符号Ｂで示す光路）や、反射シート７Ａが設けられていない仕切板６の露出部分から隣接する発光領域８に漏れる光（図９において符号Ｃで示す光路）が発生する。このような光を発光領域８の境界部分に対応する拡散板５に入射するよう構成したものが図１１に示した仕切板６Ａである。
【００５０】
図１１は実施の形態３のバックライト装置における変形例１を示しており、変形例１における拡散板５と仕切板６Ａとの接触部分の近傍（頂部）を示す断面図である。図１１に示すように、仕切板６Ａにおける拡散板５との接触部分近傍の形状が、その長手方向と直交する断面が三角屋根形状（三角柱で構成されたプリズム形状）を有している。このプリズム形状部分（頂部）の頂点（図１１における上端）において拡散板５と線接触している。図１１に示す仕切板６Ａの頂部であるプリズム形状部分において、符号６１が頂角を構成する一方の出射面である第１のプリズム面、符号６２が頂角を構成する第２のプリズム面である。仕切板６Ａにおいては、第１のプリズム面６１と第２のプリズム面６２との間の角度（頂角）が９０度である。
【００５１】
上記の仕切板６Ａの側面における一方の面で、頂部以外の部分には反射手段である反射シート７Ａが張り付けられている。すなわち、前述の図９に示した実施の形態３と同様に、反射シート７Ａは、拡散板５の背面（図１１における下面）から垂直距離Ａの間隔を有して配設されている。したがって、拡散板５と仕切板６Ａとの接触面から垂直距離Ａの部分におけるプリズム形状部分は透光材料の仕切板６Ａが露出した状態である。
【００５２】
このように、仕切板６Ａの頂部がプリズム形状に形成され、反射シート７Ａがプリズム形状の頂部には設けられていないため、例えば仕切板６Ａを通過して第１のプリズム面６１に到達した光が、第１のプリズム面６１において屈折して、仕切板６Ａの直上である拡散板５の境界部分を照射する（図１１における光路Ｄを参照）。同様に、仕切板６Ａを通過して第２のプリズム面６２に到達した光は、第２のプリズム面６２において屈折して、仕切板６Ａの直上である拡散板５の境界部分を照射する（図１１における光路Ｅを参照）。したがって、図１１に示す構成においては、仕切板６Ａにより分割された発光領域８の境界部分に対して、仕切板６Ａ内を通過した光が照射されて、その境界部分における輝度の向上が図られている。したがって、図１１に示した仕切板６Ａと反射シート７Ａを有して構成されたバックライト装置１０においては、各発光領域８の境界部分における面状発光時の暗部発生が防止されるとともに、かつ点灯領域と消灯領域との境界面が明確になるという優れた効果を奏する。
【００５３】
図１２は実施の形態３のバックライト装置１０における変形例２（図９の（ａ））と変形例３（図９の（ｂ））を示す断面図であり、それぞれの仕切板６Ｂ，６Ｃにおける拡散板５との接触部分近傍である頂部を示す。図９の（ａ）に示す変形例２は仕切板６Ｂにおける拡散板５との接触部分である頂部が、半円状の断面を有するよう形成されている。図９の（ｂ）に示す変形例３は仕切板６Ｃにおける拡散板５との接触部分が、複数の三角屋根形状（複数のプリズム形状）の断面を有するよう形成されている。このように仕切板６Ｂ，６Ｃの頂部が各種形状に構成されているため、仕切板６Ｂ，６Ｃの内部を通過して頂部に到達した光が発光領域８の境界部分に対して所望の光路で照射するよう構成できるため、その境界部分における発光状態を所望の輝度に制御することが可能となる。
【００５４】
図１３は実施の形態１から実施の形態３における各仕切板６，６Ａ，６Ｂ，６Ｃの具体的な固定方法を示す断面図である。図１３においては仕切板６について説明するが他の仕切板６Ａ，６Ｂ，６Ｃにおいても同様の固定方法により固定できる。
図１３の（ａ）に示す固定方法は、底面反射板１２に溝１２Ａを形成し、その溝１２Ａに仕切板６および反射シート７の端部を嵌め込み接着剤により固着する方法である。この固定方法においては、補強のために仕切板６と底面反射板１２とをねじ止めしても良い。
図１３の（ｂ）に示す固定方法は、底面反射板１２に貫通孔１２Ｂを形成し、その貫通孔１２Ｂに仕切板６の底部に形成されたピン６３を挿入して固着する方法である。
図１３の（ｃ）に示す固定方法は、底面反射板１２に貫通孔１２Ｃを形成し、一方、仕切板６の底部側には弾性を有し対向して配置された鍔部６４，６４が形成されている。対向して配置された鍔部６４，６４の間隔は、底面反射板１２の厚みに設定されている。仕切板６を底面反射板１２に固着する場合、仕切板６の底部側に形成された一方の鍔部６４を底面反射板１２の貫通孔１２Ｃに挿入し貫通させる。これにより、両側の鍔部６４と６４により底面反射板１２が挟着され、反射シート７が張り付けられた仕切板６は底面反射板１２に確実に固着される。
【００５５】
上記のように構成された実施の形態３の液晶表示装置１に用いられるバックライト装置１０においては、各種形状および構成の仕切板６，６Ａ，６Ｂ，６Ｃとその仕切板に反射手段を設けることにより、各発光領域８の境界部分における面状発光時の暗部発生が防止されるとともに、かつ点灯領域と消灯領域との境界面が明確になるという優れた効果を有する。
【００５６】
《実施の形態４》
以下、本発明に係る実施の形態４の液晶表示装置に用いられるバックライト装置について説明する。実施の形態４のバックライト装置は、前述の実施の形態１または実施の形態２において説明したバックライト装置の構成において仕切板と反射手段の形状および構成を変形した例である。したがって、実施の形態４の説明においては、仕切板と反射手段について説明し、その他の構成要素については前述の実施の形態１，２において説明した構成要素と同じ機能、構成を有するため、同じ符号を付してその説明は省略する。
【００５７】
図１４は実施の形態４のバックライト装置１０を示す断面図であり、仕切板６Ｄと反射手段である反射シート７Ａを示している。実施の形態４における仕切板６Ｄは、その長手方向（水平走査線方向）と直交する断面が二等辺三角形であり、頂点が拡散板５の背面（図１４における下面）に接触する構成である。また、当該頂点を形成する２辺（発光領域８を規定する仕切板６Ｄの両側面）において、当該頂点から所定の垂直距離Ａの間隔を有して底辺までの部分に反射シート７Ａが張り付けられている。したがって、拡散板５と仕切板６Ｄとの接触点から垂直距離Ａのまで部分は透光材料の仕切板６Ｄが露出した状態である。
【００５８】
このように、高反射率の反射面を有する反射シート７Ａが拡散板５の背面から一定の距離Ａの間隔を有して配置されているため、発光領域８の境界部分において反射シート７Ａによる暗部の発生は防止される。反射シート７Ａの拡散板側端部から拡散板５の背面まで垂直距離Ａは、前述の実施の形態３と同様に、０．０ｍｍ以上３．０ｍｍ以下が好ましい距離であり、０．３ｍｍ以上１．５ｍｍ以下が特に好ましい距離である。
【００５９】
図１５は、図１４に示した仕切板６Ｄと反射シート７Ａを用いてバックライト装置１０を構成した具体例であり、断面図で示している。なお、図１５においては、透光板１１の拡散板５のみを示しているが、実際には図１に示したように透光板１１には偏光シート３、プリズムシート４、拡散板５が設けられている。図１５に示すように、この具体例においては、拡散板５は２ｍｍの厚みの板状材であり、底面反射部１２の反射面から拡散板５の背面までの距離が２５ｍｍである。また、仕切板６の間隔が３２ｍｍであり、仕切板６の底辺の長さが８ｍｍであり、ＬＥＤ発光部１６が２２ｍｍ角の正方形状のものを用いた。
【００６０】
図１６は、上記のように構成されたバックライト装置１０（図１５）を用いて、拡散板５の背面から反射シート７Ａまでの距離Ａに関する実験結果を示すグラフである。この実験において、ＬＥＤ発光部１６から拡散板５に入射される光の輝度値を測定した。
図１６の（ａ）は隣接する発光領域８が点灯領域と消灯領域の場合の相対輝度値を示している。図１６の（ｂ）は隣接する発光領域８の両方が点灯領域である場合の相対輝度値を示している。ここで相対輝度値とは最高輝度値を１．０として、該当位置における輝度値の最高輝度値に対する比である。図１６において、破線で示すグラフは垂直距離Ａが０．３ｍｍの場合の相対輝度値であり、実線で示すグラフは垂直距離Ａが０．７ｍｍの場合の相対輝度値であり、一点鎖線で示すグラフは垂直距離Ａが１．５ｍｍの場合の相対輝度値である。
【００６１】
図１６の（ａ）に示すように、実施の形態４の構成においては、垂直距離が０．３ｍｍから１．５ｍｍの間であれば、点灯領域と消灯領域との境界面において明確に分かれており、好ましい結果が得られた。
また、図１６の（ｂ）に示すように、実施の形態４の構成において、面状発光時の発光領域８の境界における仕切板による影響に関しては、垂直距離が０．３ｍｍから１．５ｍｍの間であれば、点灯領域と点灯領域との境界面において暗部の発生が抑制されており、好ましい結果が得られた。
【００６２】
以上のように、実施の形態４のバックライト装置１０においては、仕切板６Ｄと反射シート７Ａを用いて発光領域８を規定する構成とすることにより、それぞれの発光領域８における発光源からの光が反射シート７Ａの反射面で反射し、拡散板５の背面を効率高く照射し面状光源としての輝度の向上が図られている。また、仕切板６Ｄの頂部の透光材料が露出した部分に入射した光は、屈折して拡散板５における発光領域８の境界部分を照射するため、実施の形態４のバックライト装置は、発光領域８の境界部分における輝度が向上し、均一な面状発光装置となる。
【００６３】
図１７は実施の形態４のバックライト装置における変形例１を示す断面図であり、仕切板６Ｅと反射手段である反射シート７Ｂを示している。実施の形態４の変形例１における仕切板６Ｅは長手方向（水平走査線方向）と直交する断面形状が二等辺三角形における二等辺の部分を湾曲させた形状である。その湾曲部分は発光源に向いた面が凹面形状であり、発光源からの光を拡散板５の方向へ反射する形状である。この変形例１の仕切板６Ｅは、前述の図１４に示した仕切板６Ｄと同様に仕切板６Ｅの頂点が拡散板５の背面（図１７における下面）に接触する構成であり、当該頂点から所定距離Ａを有した位置から底辺までの仕切板６Ｅの側面部分に反射シート７Ｂが張り付けられている。したがって、反射シート７Ｂは仕切板６Ｅの頂部以外の側面に張り付けられ、凹面形状に構成されている。この反射シート７Ｂは、前述の実施の形態１から３や図１４に示した反射シート７，７Ａと同様に高反射率の反射面を有している。
【００６４】
このように、高反射率の反射面を有する反射シート７Ｂが拡散板５の背面から一定の距離Ａを有して配置されているため、隣接する発光領域８における境界部分において反射シート７Ｂによる影の影響が無くなり、面状光源の境界面における暗部の発生が確実に防止される。
図１７に示すように、仕切板６Ｅと反射シート７Ｂを構成することにより、それぞれの発光領域８における発光源からの光が反射シート７Ｂの曲率を有する反射面において反射し、拡散板５の背面を効率高く照射し面状光源としての輝度の向上が図られている。また、仕切板６Ｅの頂部の透光材料が露出した部分に入射した光は、屈折して拡散板５における発光領域８の境界部分を照射するため、その境界部分における輝度が向上し面状光源における均一性を達成することが可能となる。
【００６５】
図１８は実施の形態４のバックライト装置における変形例２示す断面図であり、拡散板５の背面に接触する仕切板６Ｆの近傍を示している。実施の形態４の変形例２における仕切板６Ｆは長手方向（水平走査線方向）と直交する断面形状が二等辺三角形である。また、仕切板６Ｆは、拡散板５に接触する頂点を含む部分の頂部６５と、その頂部６５の底面側に配置された台部６６とにより構成されている。頂部６５が透光材料で構成されており、台部６６が高反射率を奏する樹脂により形成されている。頂部６５の高さである頂点から底面までの距離はＡに設定されている。透光材料で構成された頂部６５において、発光領域８からの光が入射され、屈折して拡散板５の境界部分を照射する。また、拡散板５において反射されて頂部６５に戻ってきた光は、頂部６５の底面において全反射し、再び拡散板５における境界部分を照射する。さらに、この変形例２の仕切板６Ｆの台部６２の表面である反射面においては、発光源等からの光を全反射し、拡散板５の背面を照射する。
【００６６】
図１８に示すように、仕切板６Ｆを構成することにより、この仕切板６Ｆにより分割された発光領域８における発光源からの光が台部６６の反射面で反射し、拡散板５の背面を効率高く照射し面状発光装置としての輝度の向上が図られている。また、仕切板６Ｆには透光材料で構成された頂部６５が設けられているため、この頂部６５に入射した光は、屈折して拡散板５における発光領域８の境界部分を照射するため、その境界部分における輝度が向上し、均一な発光面を有する面状発光装置となる。
【００６７】
図１９は実施の形態４のバックライト装置における変形例３を示す断面図であり、拡散板５の背面に接触する仕切板６Ｇと反射シート７Ａ等を示している。実施の形態４の変形例３において、透光材料で構成された仕切板６Ｇは、その長手方向（水平走査線方向）と直交する断面形状が二等辺三角形であり、その頂点が拡散板５の背面（図１９における下面）に接触する構成である。また、当該頂点を形成する２辺（発光領域８の側面）において、当該頂点から所定の垂直距離Ａを有した位置から、底辺より垂直距離Ｆを有した位置までの部分に両面が高反射率を有する反射シート７Ａが張り付けられている。したがって、拡散板５と仕切板６Ｇとの接触点から垂直距離Ａまでの部分、および仕切板６Ｇの底面から垂直距離Ｆまでの部分は透光材料の仕切板６Ｇが露出した状態である。
【００６８】
さらに、図１９に示す変形例３の仕切板６Ｇには、その内部底面側に内部反射部２２が形成されている。内部反射部２２は、仕切板６Ｇの長手方向（水平走査線方向）と直交する断面形状が二等辺三角形（この変形例３においては略正三角形）であり、その頂点が拡散板５の方向に向いている。この内部反射部２２における二等辺に対応する２辺の表面は、高反射率を有する反射面となっている。したがって、仕切板６Ｇにおける底面から垂直距離Ｂの部分に入射した光は、内部反射部２２において反射され拡散板５の方向（図１９における上方向）に進行する。このように内部反射部２２において反射された光は、仕切板６Ｇの側面である傾斜した面に張り付けられた両方の反射シート７Ａ，７Ａの内面側で反射して、仕切板６Ｇの頂点を有する頂部から出射して拡散板５の背面を照射する。
【００６９】
上記のように図１９に示す変形例３のバックライト装置１０においては、発光領域８の発光源からの光が仕切板６Ｇの内部底面側から入射し、内部反射部２２で反射されて、仕切板６Ｇの内部を通過して、その頂部から拡散板５の境界部分を照射する構成である。この結果、図１９に示す変形例３の構成によれば、拡散板５における発光領域８の境界部分を仕切板６Ｇの内部を通過し光が照射する構成であるため、その境界部分における輝度が向上し、均一な発光面を有する面状発光装置となる。
【００７０】
以上、本発明に係るバックライト装置とそのバックライト装置を用いた液晶表示装置の好ましい実施の形態を説明したが、上記の実施の形態は種々改良が可能である。例えば、発光源として冷陰極蛍光管（ＣＣＦＬ）や赤色、緑色、青色の光をそれぞれ発生する３つの発光ダイオードを用いた例で説明したが、発光源として用いられる発光素子であれば本発明に適用可能である。
【産業上の利用可能性】
【００７１】
本発明は、液晶表示装置に用いられるバックライト装置の分野において有用である。
【図面の簡単な説明】
【００７２】
【図１】本発明に係る実施の形態１のバックライト装置を有する液晶表示装置の構成を示す断面図である。
【図２】実施の形態１の液晶表示装置における制御・駆動回路の一例を示すブロック図である。
【図３】本発明に係る実施の形態１のバックライト装置における拡散板５と仕切板６との接合部分近傍を示す断面図である。
【図４】本発明に係る実施の形態１のバックライト装置の変形例を示す断面図である。
【図５】本発明に係る実施の形態２のバックライト装置を有する液晶表示装置の構成を示す断面図である。
【図６】実施の形態２の液晶表示装置における液晶パネルおよび発光部の構成を示すブロック図である。
【図７】実施の形態２におけるバックライト装置の変形例を示す断面図である。
【図８】実施の形態２におけるバックライト装置の別の変形例を示す断面図である。
【図９】実施の形態３のバックライト装置の構成を示す断面図である。
【図１０】バックライト装置に対する輝度実験を行った結果を示すグラフである。
【図１１】実施の形態３のバックライト装置における変形例１を示す断面図である。
【図１２】実施の形態３のバックライト装置における変形例２（図９の（ａ））と変形例４（図９の（ｂ））を示す断面図である。
【図１３】実施の形態１から実施の形態３における仕切板の固定方法を示す断面図である。
【図１４】実施の形態４のバックライト装置の構成を示す断面図である。
【図１５】実施の形態４のバックライト装置の具体的な構成を示す断面図である。
【図１６】バックライト装置に対する実験を行った結果を示すグラフである。
【図１７】実施の形態４のバックライト装置における変形例１を示す断面図である。
【図１８】実施の形態４のバックライト装置における変形例２を示す断面図である。
【図１９】実施の形態４のバックライト装置における変形例３を示す断面図である。
【符号の説明】
【００７３】
１  液晶表示装置
２  液晶パネル
３  偏光シート
４  プリズムシート
５  拡散板
６  仕切板
７  反射シート
８  発光領域
９  冷陰極蛍光管
１０  バックライト装置
１１  透光板
１２  底面反射板
１３  液晶パネル制御回路
１４  ＣＣＦＬ制御回路
１５  ＣＣＦＬ駆動回路
１６  ＬＥＤ発光部
１７  ＬＥＤ
１８  ＬＥＤ制御回路
１９  ＬＥＤ駆動回路
２０  発光部
２１  ＬＥＤ反射面
２２  内部反射部
２３  仕切板基部
２４  筐体
【図１】
2007066634.tif 000003
【図２】
2007066634.tif 000004
【図３】
2007066634.tif 000005
【図４】
2007066634.tif 000006
【図５】
2007066634.tif 000007
【図６】
2007066634.tif 000008
【図７】
2007066634.tif 000009
【図８】
2007066634.tif 000010
【図９】
2007066634.tif 000011
【図１０】
2007066634.tif 000012
【図１１】
2007066634.tif 000013
【図１２】
2007066634.tif 000014
【図１３】
2007066634.tif 000015
【図１４】
2007066634.tif 000016
【図１５】
2007066634.tif 000017
【図１６】
2007066634.tif 000018
【図１７】
2007066634.tif 000019
【図１８】
2007066634.tif 000020
【図１９】
2007066634.tif 000021